(57)【要約】【課題】原稿の両面の同時読み取りが可能な画像処理装置において、簡易な構成にて高精度な特定原稿判定処理を行うことができ、しかも主走査方向の１ライン分の画像データの中からデータを間引く処理も不要な画像処理装置等を提供する。【解決手段】ＣＣＤ３７及びＣＣＤ３１ｅで読み取った原稿表面データと原稿裏面データとを、縮小手段１１６により副走査方向に縮小させる。縮小後に格納手段１１７に格納し、格納されたデータに対して判定手段１１８で判定を行うことにより、読み取った原稿の表面または裏面の少なくともいずれかが特定原稿であるか否かの判定を行う。【選択図】図５
2008125029.tif 000002
【特許請求の範囲】
【請求項１】
原稿の第一面を読み取る第１読取手段と、
原稿の第二面を読み取る第２読取手段と、
前記第１及び第２読取手段により読み取られた第１面及び第２面の画像データを、それぞれ副走査方向に縮小する縮小手段と、
前記縮小手段により縮小された第１面及び第２面の画像データを格納する格納手段と、
前記格納手段に格納された第１面及び第２面の画像データが特定原稿であるか否かについての判定を行う判定手段と、
前記判定手段の判定結果に応じて、前記第１面及び第２面の画像データの出力を禁止する制御手段と、
を備えたことを特徴とする画像処理装置。
【請求項２】
前記格納手段は、前記縮小手段で縮小された第１面及び第２面の画像データを交互に格納し、前記判定手段は、前記格納手段に交互に格納されているデータに対しそれぞれ判定を行う請求項１に記載の画像処理装置。
【請求項３】
前記格納手段は、前記縮小手段で縮小された第１面及び第２面の画像データを１ライン毎に交互に格納する請求項２に記載の画像形成装置。
【請求項４】
原稿の第一面を読み取る第１読取ステップと、
原稿の第二面を読み取る第２読取ステップと、
前記第１及び第２読取ステップで読み取られた第１面及び第２面の画像データを、それぞれ副走査方向に縮小するステップと、
前記縮小ステップにより縮小された第１面及び第２面の画像データを格納手段に格納するステップと、
前記格納手段に格納された第１面及び第２面の画像データが特定原稿であるか否かについての判定を行うステップと、
前記判定ステップでの判定結果に応じて、前記第１面及び第２面の画像データの出力を禁止するステップと、
を備えたことを特徴とする画像処理方法。
【請求項５】
前記格納ステップでは、前記縮小ステップで縮小された第１面及び第２面の画像データを交互に格納し、
前記判定ステップでは、前記交互に格納されているデータに対しそれぞれ判定を行う請求項４に記載の画像処理方法。
【請求項６】
前記格納ステップでは、前記縮小された第１面及び第２面の画像データを１ライン毎に交互に格納する請求項５に記載の画像処理方法。
【発明の詳細な説明】
【技術分野】
【０００１】
この発明は、原稿の表裏両面の同時読取が可能でかつ紙幣等の特定原稿を検知できる、複写機等に用いられる画像形成装置及び画像処理方法に関する。
【背景技術】
【０００２】
原稿の表面画像と裏面画像とを、ほぼ同時に読み取ることが可能な複写機等の画像処理装置の中には、読み取った原稿が例えば紙幣や有価証券等の特定原稿であるかどうかの判定機能を備え、特定原稿がコピーされた場合には、特定原稿であることを検出して出力を禁止するようにしたものが存在する。
【０００３】
ところで、前述した原稿の表裏両面の同時読み取りが可能な画像形成装置では、読み取った原稿の表面と裏面についての各処理が、それぞれ独立して同時に行なわれる。そのため、読み取った画像データを処理する各処理部は、原稿表面用と裏面用とで各１個ずつ、装置全体で計２個ずつ必要とされる場合が多く、この場合には、前述の特定原稿の判定処理についても、原稿表面用と裏面用の２つの処理部が備えられているのが一般的であった、
しかし、これでは当該装置が備えなければならない処理部の数が多くなり、装置の内部構成が複雑になるという問題がある。
【０００４】
そこで、読み取った原稿の表面と裏面の各画像データのそれぞれを主走査方向に縮小し、それら縮小された２つの画像データを連結することにより連結画像を生成し、当該生成された連結画像に対して、特定原稿判定部で判定を行なうことにより、１個の特定原稿判定部で表裏両面に対する特定原稿の判定が可能な技術が提供されている（例えば、特許文献１参照）。
【特許文献１】特開2005-26880号公報
【発明の開示】
【発明が解決しようとする課題】
【０００５】
ところが、特許文献１に記載の技術では、原稿表面と裏面の画像データが主走査方向に縮小されるため、連結の境界部分で、原稿表面と原稿裏面の画像データが混在することがあり、これが原因となって特定原稿判定部が誤った判定を行う場合があり、判定精度の点で問題があった。
【０００６】
しかも、原稿の表裏両面の同時読取方式では、表裏両面における主走査方向の読取開始タイミングはほぼ同じであるため、表面と裏面の画像データを主走査方向に縮小して連結しようとすると、表裏いずれかの画像データの時間的な位置関係を主走査方向にずらす機能が必要となり、構成が複雑になるという問題もあった。
【０００７】
しかもまた、画像データの読み取りは、主走査方向の１ラインをセンサで読み取るとともに、これを副走査方向に繰り返すことにより行われるため、表裏両面の画像データを主走査方向に縮小するためには、センサで読み取った主走査方向の１ライン分の画像データの中からデータを間引かなければならず、その処理が煩雑であった。
【０００８】
この発明は、上記実情に鑑みてなされたものであり、原稿の両面の同時読み取りが可能な画像形成装置において、簡易な構成にて高精度な特定原稿判定処理を行うことができ、しかも主走査方向の１ライン分の画像データの中からデータを間引く処理も不要な画像形成装置及び画像処理方法の提供を課題とする。
【課題を解決するための手段】
【０００９】
上記課題は、以下の手段によって解決される。
【００１０】
（１）原稿の第一面を読み取る第１読取手段と、原稿の第二面を読み取る第２読取手段と、前記第１及び第２読取手段により読み取られた第１面及び第２面の画像データを、それぞれ副走査方向に縮小する縮小手段と、前記縮小手段により縮小された第１面及び第２面の画像データを格納する格納手段と、前記格納手段に格納された第１面及び第２面の画像データが特定原稿であるか否かについての判定を行う判定手段と、前記判定手段の判定結果に応じて、前記第１面及び第２面の画像データの出力を禁止する制御手段と、を備えたことを特徴とする画像処理装置。
【００１１】
（２）前記格納手段は、前記縮小手段で縮小された第１面及び第２面の画像データを交互に格納し、前記判定手段は、前記格納手段に交互に格納されているデータに対しそれぞれ判定を行う前項（１）に記載の画像処理装置。
【００１２】
（３）前記格納手段は、前記縮小手段で縮小された第１面及び第２面の画像データを１ライン毎に交互に格納する前項（２）に記載の画像形成装置。
【００１３】
（４）原稿の第一面を読み取る第１読取ステップと、原稿の第二面を読み取る第２読取ステップと、前記第１及び第２読取ステップで読み取られた第１面及び第２面の画像データを、それぞれ副走査方向に縮小するステップと、前記縮小ステップにより縮小された第１面及び第２面の画像データを格納手段に格納するステップと、前記格納手段に格納された第１面及び第２面の画像データが特定原稿であるか否かについての判定を行うステップと、前記判定ステップでの判定結果に応じて、前記第１面及び第２面の画像データの出力を禁止するステップと、を備えたことを特徴とする画像処理方法。
【００１４】
（５）前記格納ステップでは、前記縮小ステップで縮小された第１面及び第２面の画像データを交互に格納し、前記判定ステップでは、前記交互に格納されているデータに対しそれぞれ判定を行う前項（４）に記載の画像処理方法。
【００１５】
（６）前記格納ステップでは、前記縮小された第１面及び第２面の画像データを１ライン毎に交互に格納する前項（５）に記載の画像処理方法。
【発明の効果】
【００１６】
前項（１）に記載の発明によれば、原稿の第一面の画像データと第二面の画像データを、それぞれ副走査方向に縮小して格納手段に格納し、この格納された各画像データに対して特定原稿であるか否かの判定が行われるから、第１面の画像データと第２面の画像データを明確に分離でき、従って、第一面の画像データと第二面の画像データを主走査方向に縮小連結して特定原稿であるか否かの判定を行う従来の画像処理装置のように、連結の境界部分で、第１面と第２面の画像データが混在して判定精度を損なう恐れがなく、高精度な判定処理を行うことができる。
【００１７】
また、読み取った画像データの副走査方向の縮小はラインを単純に間引くことにより実現できるため、特別な縮小回路や、表裏の画像データの主走査方向の位置を調整するためのラインバッファや、１ラインの画像データの中からデータを間引く処理はいずれも不要であり、構成や処理が簡易になるうえ、表裏の読み取り開始タイミングの差を考慮する必要はない。しかも、画像処理を行なうクロック速度と同じ速度で特定原稿の判定を行うことができる。
【００１８】
前項（２）に記載の発明によれば、縮小された第１面及び第２面の画像データが交互に格納されるとともに、格納されたデータに対してそれぞれ判定処理が実行されるから、万一装置からメモリ漏れが生じたとしても、元の画像の推測が極めて困難となり、高いセキュリティを確保できる。
【００１９】
前項（３）に記載の発明によれば、縮小された第１面及び第２面の画像データを１ライン毎に交互に格納するから、縮小及び格納処理がさらに簡素になる。
【００２０】
前項（４）に記載の発明によれば、原稿の第一面の画像データと第二面の画像データを、それぞれ副走査方向に縮小して格納手段に格納し、この格納された各画像データに対して特定原稿であるか否かの判定が行われるから、連結の境界部分で、第１面と第２面の画像データが混在して判定精度を損なうといった不都合はなく、高精度な判定処理を行うことができる。また、読み取った画像データの副走査方向の縮小はラインを単純に間引くことにより実現できるため、特別な縮小回路や、表裏の画像データの主走査方向の位置を調整するためのラインバッファや、１ラインの画像データの中からデータを間引く処理はいずれも不要であり、構成や処理が簡易になるうえ、表裏の読み取り開始タイミングの差を考慮する必要はない。
【００２１】
前項（５）に記載の発明によれば、縮小された第１面及び第２面の画像データが交互に格納されるとともに、格納されたデータに対してそれぞれ判定処理が実行されるから、万一装置からメモリ漏れが生じたとしても、元の画像の推測が極めて困難となる。
【００２２】
前項（６）に記載の発明によれば、縮小された第１面及び第２面の画像データを１ライン毎に交互に格納するから、縮小及び格納処理がさらに簡素になる。
【発明を実施するための最良の形態】
【００２３】
以下、この発明の一実施形態を図面に基づいて説明する。
【００２４】
図１は、この発明の一実施形態に係る画像処理装置の読取機構部を示す構成図である。なお、画像処理装置として、この実施形態では、多機能デジタル複合機であるＭＦＰ（Multi Function Peripherals）等の画像形成装置が用いられている。
【００２５】
図１において、この読取機構部は、原稿を搬送しながらその画像を読み取るシートスルータイプの自動原稿送り装置であるＡＤＦ（Auto Document Feeder）１０と、スキャナユニット５０及び操作パネル６０を備えている。
【００２６】
前記ＡＤＦ１０は、給紙トレイ１１と原稿搬送部１２とを有している。
【００２７】
前記給紙トレイ１１は、原稿Ｍを繰り出し可能に載置するものである。
【００２８】
前記原稿搬送部１２は、給紙トレイ１１の原稿Ｍを引き出す給紙ローラ２１と、原稿Ｍを給紙トレイ１１から分離させる分離ローラ２２と、第１の読み取り領域Ｓ１の上流に位置する前ローラ２３と、読み取り領域Ｓ１の下流に位置する読み取り後ローラ２４とを備える他に、原稿Ｍの片面画像を読み取った後に、当該原稿Ｍを一旦、排出させてから、スイッチバック用ローラ２５でスイッチバックさせることにより表裏反転状態で第１の読み取り領域Ｓ１に向かわせる反転回路２６を備えている。
【００２９】
前記ＡＤＦ１０における原稿の給紙及び搬送動作等は、読取制御部１０２（図３に示す）によって制御される。
【００３０】
前記搬送経路における所定部位には、第１の読み取り領域Ｓ１に対応して設けられた第１の読み取り部３０と、第１の読み取り領域Ｓ１のやや下流に位置する第２の読み取り領域Ｓ２に対応して設けられた第２の読み取り部３１とが、原稿搬送経路を挟んで配置されている。
【００３１】
前記スキャナユニット５０は、第１の読み取り部３０を備えており、カラー原稿及びモノクロ原稿の両方の読み取りが可能となされている。
【００３２】
第１の読み取り部３０は、第１の読み取り領域Ｓ１に達した原稿Ｍに対してプラテンガラス３２を透過して露光する露光回路３３と、光源反射板３４と、原稿Ｍから反射光をＣＣＤ３７に向かわせる複数のミラー３５と、ミラー３５とラインセンサであるＣＣＤ３７との間に介在されたレンズ３６とを備えている。なお、第１の読み取り領域Ｓ１には、プラテンガラス３２上に搬送ガイド部材２７が配置されており、第１の読み取り領域Ｓ１に搬入された原稿Ｍがプラテンガラス３２と非接触で搬送されるように案内する。
【００３３】
前記ＣＣＤ３７からのアナログ信号は、画像処理部１０３のＡ/Ｄ変換部１１０（図４に示す）でデジタル信号に変換され、さらに所定の画像処理が施されるようになっている。
【００３４】
前記ＡＤＦ１０側に設けられた第２の読み取り部３１は、カラー原稿及びモノクロ原稿の両方の読み取りが可能な密着イメージセンサ（ＣＩＳ：Ｃontact Ｉmage Sensor）からなり、前記第１の読み取り部３０と同等の機能を有するものであり、図２に示すように、第２の読み取り領域Ｓ２に達した原稿Ｍに光をガラス３１ｃに透過して照射する一対のＬＥＤ３１ａ、３１ｂと原稿Ｍから反射光を集光するセルフォックスレンズ３１ｄと、集光させた反射光を受光するライセンサ３１ｅを備えている。ここでは、ライセンサ３１ｅとしてＣＣＤが使用されているが、Ｃ−ＭＯＳセンサなどの他の受光素子を使用可能である。
【００３５】
ＣＣＤからなるライセンサ３１ｅからのアナログ信号は、画像処理部１０３のＡ/Ｄ変換部１１１（図４に示す）でデジタル信号に変換され、さらに所定の画像処理が施されるようになっている。
【００３６】
このような画像形成装置において、給紙トレイ１１に積載された原稿Ｍが給紙ローラ２１で給紙され、分離ローラ２２、読み取り前ローラ２３で第１の読み取り領域Ｓ１に搬送される。
【００３７】
スキャナユニット５０では、第１読み取り領域Ｓ１を通過する原稿Ｍの一方の面（表面）の画像に対して、第１の読み取り部３０における露光回路３３で露光し、原稿Ｍの一方の面からの反射光をプラテンガラス３２、レンズ３６を通してＣＣＤ３７に受光させる。ＣＣＤ３７からのＲＧＢデータに基づいて、画像処理部１０３で画像データを生成する。
【００３８】
第１の読み取り領域Ｓ１を通過した原稿Ｍが第２の読み取り領域Ｓ２を通過すると、第２の読み取り部３１により、原稿Ｍの他方の面（裏面）の画像が読み取られて画像データが生成される。
【００３９】
原稿Ｍは、第２読み取り領域Ｓ２を通過後、読み取り後ローラ２４によって図１の右方へ搬送され、排出トレイ３８に排出される。
【００４０】
このように、給紙トレイ１１から第１及び第２の読み取り領域Ｓ１、Ｓ２に搬送され、前記読み取り領域へ再搬送されることなく排出トレイ３８に排出される搬送経路で、原稿Ｍが搬送される間に、原稿Ｍの一方の面の画像が第１の読み取り部３０で読み取られるとともに、他方の画像が第２の読み取り部３１で読み取られる。つまり、１回の通紙で原稿Ｍの両面の画像を同時に読み取ることができる。
〔全体構成図〕
次に、画像処理装置の構成について、図３に示す機能ブロック図を用いて説明する。
【００４１】
図３に示すように、この画像処理装置は、ＣＰＵ１００、ＲＯＭ１０１、読取制御部１０２、画像処理部１０３、画像形成部１０４、外部インターフェース（Ｉ/Ｆ）１０５、ＣＣＤ３７、ＣＣＤ３１ｅ及び操作パネル６０などを備えており、ＣＰＵ１００のバスライン１０６上にＲＯＭ１０１、読取制御部１０２、画像処理部１０３、画像形成部１０４、外部インターフェース１０５及び操作パネル６０が接続されている。
【００４２】
ＣＰＵ１００は、画像処理装置全体の制御を行うが、詳しくは後述する。
【００４３】
ＲＯＭ１０１は、ＣＰＵ１００の動作用プログラムやその他のデータを記憶している。
【００４４】
読取制御部１０２は、スキャナ用ＣＰＵ（図示せず）を備えており、図１及び図２に示した読取機構部を制御する。例えば、原稿画像の読み取り時に要求される画質や解像度のレベルを判断して、搬送部１２による原稿Ｍの搬送や、第１及び第２の読み取り部３０、３１による読み取り動作等を制御する。
【００４５】
画像処理部１０３は、ＣＣＤ３７及びＣＣＤ３１ｅからの画像データを受けて、所定の画像処理を施すが、詳しくは後述する。
【００４６】
画像形成部１０４は、画像処理部１０３から出力された画像データを受け取り、その画像データに基づいて、出力画像を形成して用紙に出力する。
【００４７】
外部インターフェース１０５は、ネットワーク回線等を用いて外部端末などとデータの送受信を行う通信手段として機能する。
【００４８】
操作パネル６０は、ユーザが各種の操作や処理モードの入力を行ったり、装置の状態やメッセージなどを表示したりするものであり、図１に示すように、タッチパネル式の表示部６１を備える。また、管理者等はこの操作パネル６０を介して、原稿読み取り時の画質や解像度のレベル設定を行うことができるものとなされている。これらの設定は、ＣＰＵ１００で受け付けられる。
〔画像処理部の構成〕
次に、図４を用いて、画像処理部１０３の構成について説明する。
【００４９】
画像処理部１０３は、図４に示すように、ＡＤ変換部１１０、１１１、前処理部１１２、１１３、後処理部１１４、１１５、縮小部１１６、連結格納部１１７及び特定原稿判定部１１８などから構成されている。前記ＡＤ変換部１１０、前処理部１１２及び後処理部１１４は、第１の読み取り部３０のＣＣＤ３７で読み取られた原稿Ｍの一方の面の画像データを処理するものであり、前記ＡＤ変換部１１１、前処理部１１３及び後処理部１１５は、第２の読み取り部３１のＣＣＤ３１ｅで読み取られた原稿Ｍの他方の面の画像データを処理するものである。
【００５０】
具体的には、ＡＤ変換部１１０は、ＣＣＤ３７で読み取られた原稿Ｍの一方の面（表面）の画像データをデジタル信号に変換する。また、ＡＤ変換部１１１はＣＣＤ３１ｅで読み取られた原稿Ｍの他方の面（裏面）の画像データをデジタル信号に変換する。
【００５１】
前処理部１１２及び前処理部１１３は、各ＡＤ変換部１１０、１１１から出力されたデジタル信号の画像データにシェーディング補正やライン補正などを行う。
【００５２】
後処理部１１４及び後処理部１１５では、画像形成部１０４や外部インターフェース１０５へ画像データを送るための画質改善処理や色変換処理を行う。
【００５３】
縮小部１１６は、原稿表面の画像データと原稿裏面の画像データとから、副走査方向のライン毎のデータを交互に取り出し、連結格納部１１７へ送出する。具体的には、この実施形態では、表面の画像データについては上から数えて奇数番目のラインのデータが、裏面の画像データについては上から数えて偶数番目のラインのデータが、それぞれ取り出され、連結格納部１１７へ送出されるものとなされている。従って、原稿表面の画像データ及び裏面の画像データは、１ライン毎に間引かれて、それぞれ５０％縮小された状態で連結格納部１１７へ送出される。
【００５４】
連結格納部１１７はメモリからなり、前記縮小部１１６によって取得された、表裏両面についての１ライン毎の交互の画像データを、交互に連結して格納保存することにより特定原稿判定用画像データを作成するものである。なお、交互に格納することなく、表面画像データと裏面画像データとをそれぞれまとめた形態で格納しても良い。
【００５５】
特定原稿判定部１１８は、連結格納部１１７に保存されている特定原稿判定用画像データと、予め記憶されている辞書データ（特定原稿の画像データ）との間のパターンマッチング、及び互いに対応する位置にある画素の画素値の比較等の処理により、前記特定原稿判定用画像データが特定原稿の画像データに一致するか否か、換言すれば読み取られた原稿が特定原稿かどうかを判定する。なお、特定原稿かどうかの判定方法はこれに限定されることはなく、任意の方法を用いればよい。
【００５６】
特定原稿判定部１１８は、原稿の表面が特定原稿かどうかを判定するタイミングにおいては、連結格納部１１７に格納されている画像データの中から奇数ラインのデータを一部または全部取り出し、特定原稿かどうかを判定する。一方、原稿の裏面が特定原稿かどうかを判定するタイミングにおいては、連結格納部１１７に格納されている画像データの中から偶数ラインのデータを一部または全部取り出し、特定原稿かどうかを判定する。
【００５７】
前記特定原稿判定部１１８の判定結果に応じて、前記ＣＰＵ１００は後述するような所定の制御を実行する。
〔特定原稿判定用画像データの作成方法の詳細な説明〕
前述した画像処理部１０３で行なわれる特定原稿判定用画像データの作成方法を、図５を用いてさらに詳しく説明する。図５において、主走査方向の１ラインとは、原稿をＣＣＤで順に読み取ってゆく際の、ラインセンサ１回の読み取りデータに相当する。
【００５８】
まず、縮小部１１６は、前処理部１１２から送られてきた原稿表面の画像データ７０の副走査方向の各ラインから、奇数ライン（１，３、・・・（２ｎ＋１）の各ライン）の画像データ７０ａのみを、また前処理部１１３から送られてきた原稿裏面の画像データ７２の副走査方向の各ラインから偶数ライン（２，４、・・・２ｎの各ライン）の画像データ７２ａのみを、１ライン毎に取得していき、連結格納部１１７に送る。
【００５９】
連結格納部１１７では、縮小部１１６から順次送られてきた奇数ラインの画像データ７０ａと偶数ラインの画像データ７２ａを連結し格納していく。このような操作を、原稿１枚の読み取りが終了するまで行うことにより、原稿表面の画像データ７０の奇数ラインと原稿裏面の画像データ７２の偶数ラインとが交互に連結され格納され、特定原稿判定用画像データ７４が作成される。こうして作成された特定原稿判定用画像データ７４は、原稿表面の画像データ７０及び裏面の画像データ７２が、１ライン毎に間引かれて、それぞれ５０％縮小された状態となっている。
【００６０】
なお、この実施形態では、奇数と偶数とを基準として、表面の画像データ７０と裏面画像データ７２とからの各ラインのデータを交互に取得し連結格納部１１７に格納するものとしたが、もちろんこの方法に限定されるものではない。例えば、表面の画像データ７０からは、（１、４、・・・３n＋１：nは自然数）行目のラインを、裏面の画像データ７２からは、（２，５、・・・、３n＋２：nは自然数）行目のラインを交互に取得するとしても良いし、一般化して、表面の画像データ７０からは、（Ｎn＋k：但し、Ｎ、n、ｋは自然数、０≦k≦n−１）行目のラインを、裏面の画像データ７２からは（Ｎn＋l：但し、Ｎ、n、ｌは自然数、０≦ｌ≦n-1、ｋ≠ｌ）行目のラインを交互に取得する取得配分を設定しても良い。
【００６１】
また、表面の画像データ７０の前半部分のライン（１ライン目からnライン目まで）を取得して連結格納部１１７に保存し、その後、裏面の画像データ７２の後半部分のライン（n＋１ライン目から２n＋１ライン目まで）を取得し、連結格納部１１７に保存しても良い。さらに、表面の画像データ７０からは２ラインずつ、裏面の画像データ７２からは３ラインずつを交互にそれぞれ取得するように、表面の画像データ７０と裏面の画像データ７２とから複数ラインずつを交互にそれぞれ取得する取得配分を設定しても良い。
【００６２】
このように、この実施形態では、原稿表面の画像データと裏面の画像データを、それぞれ副走査方向に縮小して連結格納部１１７に格納し、この格納された各画像データに対して特定原稿判定部１１８により特定原稿であるか否かの判定が行われるから、表面の画像データと裏面の画像データを明確に分離できる。従って、表面の画像データと裏面の画像データを主走査方向に縮小連結して特定原稿であるか否かの判定を行う従来の画像処理装置のように、連結の境界部分で、表面と裏面の画像データが混在して判定制度を損なう恐れがなく、高精度な判定処理を行うことができる。
【００６３】
また、読み取った画像データの副走査方向の縮小はラインを単純に間引くことにより実現できるため、特別な縮小回路等や、表裏の画像データの主走査方向の位置を調整するためのラインバッファや、１ラインの画像データの中からデータを間引く処理はいずれも不要であり、構成や処理が簡易になる。しかも、画像処理を行うクロック速度と同じ速度で特定原稿の判定を行なうことができる。
〔表裏両面の読出位置が異なっている場合〕
原稿の表面を読み取るＣＣＤ３７と原稿の裏面を読み取るＣＣＤ３１ｅとは設置されている位置が異なるため、原稿表面と裏面とで読取の開始タイミングに差を生じ、表面の画像データ７０と裏面の画像データ７２とを縮小部１１６に送るタイミングが一致しない場合がある。この場合には図６に示すように、前記２つの画像データの縮小部１１６への到着に時間的なズレが生じる。
【００６４】
このような場合、表面の画像データ７０のみが送られてくる領域８２では表面の画像データ７０のラインのみを、表裏両面の画像データ７０，７２が送られてくる領域８３では表裏の画像データ７０、７２の両方のラインを、裏面の画像データ７２のみが送られてくる領域８４では裏面の画像データ７２のラインのみを、それぞれ取得して連結格納部１１７に格納する。これによって、図６に示す特定原稿判定用画像データ８１が生成される。この判定用画像データ８１には、原稿表面の画像データ７０の１つおきのラインのみから構成されている前半領域８２ａ、表裏両面の画像データの交互のラインから構成されている中間領域８３ｂ、及び原稿の裏面の画像データ７２の１つおきのラインのみから構成されている後半領域８４ｃが含まれている。
【００６５】
この場合、特定原稿判定部１１８による判定は、判定用画像データ８１の前半領域８２ａでは原稿表面の判定処理のみを行い、中間領域８３ｂでは表面と裏面の判定処理を行い、後半領域８４ｃでは、原稿裏面の判定処理のみを行なえば良い。
【００６６】
このように、原稿の表裏両面で読み出しタイミングが異なっていても処理が可能なため、表裏の読み取り開始タイミングの差を全く考慮する必要はなく、しかも読み出しタイミングを合わせるためのラインバッファ等は不要となり装置の構成が簡単になる。
また、原稿表面の画像データのみ又は原稿裏面の画像データのみ取り込まれている領域８２ａ、８４ｃでは、一方のみの判定を行えば良いので、判定時間が短縮される。
〔画像処理装置の動作〕
次に、図１〜図４に示した画像処理装置の動作について、図７及び図８のフローチャートを用いて説明する。
【００６７】
ＣＣＤ３７によって原稿Ｍの表面画像が、またＣＣＤ３１ｅによって原稿Ｍの裏面画像が読み取られると（ステップＳ５１）、読み取られた表面画像データは、ＡＤ変換部１１０によりデジタル信号に変換され、また裏面画像データはＡＤ変換部１１１によりデジタル信号に変換される（ステップＳ５２）。
【００６８】
次に、デジタル信号に変換された表面の画像データは、前処理部１１２によりシェーディング補正やライン補正などの前処理が施され、また裏面の画像データは前処理部１１３によりシェーディング補正やライン補正などの前処理が施される（ステップＳ５３）。前処理された画像データは、縮小部１１６、後処理部１１４及び後処理部１１５に送出される。
【００６９】
後処理部１１４及び後処理部１１５では、送られてきた表面及び裏面の各画像データに、画質改善処理や色変換処理等の後処理が施されたのち（ステップＳ５４）、図８のステップＳ６７へ進む。
【００７０】
前記後処理と並行して、特定原稿判定用画像データの作成及び特定原稿判定処理が行われる。即ち、縮小部１１６は、変数ｉに０を設定し（ステップＳ５５）、変数ｉの値に１を加え（ステップＳ５６）、ｉの値が奇数であるか否かの判断を行う（ステップＳ５７）。
【００７１】
ステップＳ５７で、ｉの値が奇数であると判断された場合（ステップＳ５７でＹＥＳ）、縮小部１１６は、表面の画像データ７０からｉに代入されている値に対応する副走査方向のラインの画像データを取得し（ステップＳ５８）、連結格納部１１７に格納する（ステップＳ６０）。一方、ステップＳ５７でｉの値が偶数であると判断された場合（ステップＳ５７でＮＯ）、裏面の画像データ７２からｉに代入されている値に対応する副走査方向のラインの画像データを取得し（ステップＳ５９）、連結格納部１１７に格納する（ステップＳ６０）。
【００７２】
次いで、ステップＳ６１で、縮小部１１６は、表面の画像データ７０又は裏面の画像データ７２からのライン取得が終了したか否かの判断を行い、終了していないと判断された場合（ステップＳ６１でＮＯ）、ステップＳ５６へ戻り、取得が終了するまでステップＳ５６〜６１の処理を繰り返す。取得が終了したと判断された場合（ステップＳ６１でＹＥＳ）、ステップＳ６２へ進む。
【００７３】
こうして、連結格納部１１７において、図５に示したように特定原稿判定用画像データ７４が作成される。
【００７４】
次に、ステップＳ６２で、特定原稿判定部１１８は、原稿Ｍの表面及び裏面の画像データが当該装置に保存されている特定原稿の画像パターンと一致するか否かの判定処理を行ったのち、図８のステップＳ６３で、原稿Ｍの表面及び裏面の少なくともいずれかの画像データが特定原稿の画像パターンと一致するか否か、換言すれば原稿Ｍが特定原稿か否かを判断する。
【００７５】
ステップＳ６３で、原稿Ｍが特定原稿であると判断された場合（ステップＳ６３でＹＥＳ）、画像出力の中止を決定したのち（ステップＳ６４）、出力不可の旨を表示部６１に表示し（ステップＳ６５）、ステップＳ６７に進む。一方、ステップＳ６３で、原稿Ｍの表面及び裏面のいずれの画像データも特定原稿の画像パターンと一致しないと判断された場合（ステップＳ６３でＮＯ）、出力許可を決定した後、ステップＳ６７に進む。
【００７６】
ステップＳ６７では、ＣＰＵ１００は、出力が許可されているか否かを調べ、許可されていれば（ステップＳ６７でＹＥＳ）、ステップＳ６８で後処理が終了しているかどうかを判断し、終了していなければ（ステップＳ６８でＮＯ）、終了するまで待つ。終了していれば（ステップＳ６８でＹＥＳ）、ＣＰＵ１００は、画像形成装置１０４または外部インターフェース１０５を介して印刷または読み取りデータの外部装置への送信を行い（ステップＳ６９）、処理を終了する。
【００７７】
一方、ステップＳ６７で、出力が許可されていなければ（ステップＳ６７でＮＯ）、そのまま終了する。
【００７８】
なお、上記の例では、原稿Ｍの表面及び裏面の少なくともいずれかの画像データが、特定原稿の画像パターンと一致すると判断された場合には、原稿Ｍの画像出力を中止するとしたが、原稿Ｍの画像を実用に耐えない特定のパターンデータ（例えば、ブラックアウト等）に変換するなどの画像処理を行い出力すると共に、表示部６１にその旨の表示を行う構成としても良い。
【００７９】
また、外部の端末への送信時においても、上記と同様に、送信の中止の他に、実用に耐えないパターンデータに変換する画像処理を行い送信するとともに、相手側端末装置の表示部に、その旨を表示させる構成としても良い。
【００８０】
この実施形態によれば、原稿表面の画像データと表面の画像データのうち、副走査方向のラインの画像データを交互に取得して連結格納部に格納していくため、特別な画像縮小回路を用いて読み取った表裏両面の画像データを縮小しなくとも、１つの縮小部、連結格納部、特定原稿判定部により特定原稿か否かの判定が可能となり、また原稿表面データと原稿裏面データの連結部において特定原稿判定装置が誤った判定をすることもない。
【００８１】
さらには、万一当該装置からメモリ漏れが生じたとしても、表面画像データと裏面画像データとがライン毎に交互に保存されているため、元の画像の推測が極めて困難となる。
【図面の簡単な説明】
【００８２】
【図１】この発明の一実施形態に係る画像処理装置の読取機構部の構成を示す図である。
【図２】第２の読み取り部の構成を示す図である。
【図３】画像処理装置の構成を示す機能ブロック図である。
【図４】画像処理部の構成を示す機能ブロック図である。
【図５】特定原稿判定用画像データの作成方法を説明するための図である。
【図６】表面画像と裏面画像との読み出しのタイミングが異なっている場合の特定原稿判定用画像データの作成方法を説明するための図である。
【図７】画像処理装置の動作を説明するためのフローチャートである。
【図８】図７の続きを示すフローチャートである。
【符号の説明】
【００８３】
１００・・・ＣＰＵ
１０１・・・ＲＯＭ
１０２・・・読取制御部
１０３・・・画像処理部
１０４・・・画像形成部
１０５・・・外部インターフェース
１０６・・・バスライン
６０・・・操作パネル
３０・・・第１の読み取り部
３２・・・第２の読み取り部
３７・・・原稿の表面を読み取るＣＣＤ
３１ｅ・・・原稿の裏面を読み取るＣＣＤ
１１６・・・縮小部
１１７・・・連結格納部
１１８・・・特定原稿判定部
【図１】
2008125029.tif 000003
【図２】
2008125029.tif 000004
【図３】
2008125029.tif 000005
【図４】
2008125029.tif 000006
【図５】
2008125029.tif 000007
【図６】
2008125029.tif 000008
【図７】
2008125029.tif 000009
【図８】
2008125029.tif 000010